(57)【要約】      （修正有）【課題】ペンチの安全使用と、明確な標示効果を達成するターミナルペンチの標記改良構造を提供する。【解決手段】ターミナルペンチの標記改良構造は、ターミナルペンチ本体１０の先端部一側の正面、及び、底面に、それぞれ、挟圧線体、端子と相同の色標示の線環１２、及び、標点状の異なる標記を有し、左右の手で握持操作する時、色の標記により、簡単な識別で、端子、線体の挿挟定位ができ、絶縁端子の結合操作が便利で、また、ペンチ本体１０は、枢接盤面周縁に曲弧の階層面１７を有し、弧縁が、効果的に、構造外縁の剛性を強化し、熱処理時の変形を減少させ、安全使用の目的を達成する。【選択図】図１
0003147180.tif 000002
【実用新案登録請求の範囲】
【請求項１】
ターミナルペンチの標記改良構造であって、ペンチは畳組する本体を有し、前記本体頂端は、端子挟線使用の先端部を有し、底端は、枢接盤と連接する階層面を有し、底部に、握持用のグリップを延伸し、その特徴は、前記ターミナルペンチ本体の先端部一側の板面上に、線環状標記を有し、環体凹弧は、線体と相同の色を塗装し、前記先端部のもう一側底面の線環相対位置に、凹落する標点を有し、相同の色を塗装し、ペンチ口両側がそれぞれ、相同の色標記で識別に便利で、また、前記先端部と前記枢接盤の連接箇所は、前記先端部の背部が、前記枢接盤外側に適当に延伸して、効果的な支承と剛性強化を有することを特徴とするターミナルペンチの標記改良構造。
【請求項２】
前記階層面は、曲弧階縁に沿って外に延伸して、浅くなる折痕設計であることを特徴とする請求項１に記載のターミナルペンチの標記改良構造。
【請求項３】
前記階層面の外側曲弧率は小さく、前記枢接盤が最大に開く時の定位補助を提供することを特徴とする請求項１に記載のターミナルペンチの標記改良構造。
【考案の詳細な説明】
【技術分野】
【０００１】
本考案は、ターミナルペンチの標記改良構造に関するものであって、特に、ターミナルペンチ本体の先端部一側の正面、及び、底面に、それぞれ、挟圧線体、端子と相同の色標示の線環、及び、標点状の異なる標記を有し、左右の手で握持操作する時、色の標記により、簡単な識別で、端子、線体の挿挟定位ができ、絶縁端子の結合操作が便利で、また、ペンチ本体は、枢接盤面周縁に曲弧の階層面を有し、弧縁が、効果的に、構造外縁の剛性を強化し、ターミナルペンチの挟圧操作が、便利で、安全に行えるターミナルペンチの標記改良構造に関するものである。
【背景技術】
【０００２】
一般のターミナルペンチの設計は、主に、異なる端子の挟線の操作使用し、中央の枢軸から、上下に異なる挟合面を有し、図４で示されるように、公知のターミナルペンチの設計は、多くが、絶縁端子挟置用の先端部（２０）、及び、枢軸（２１）下方の端子挟置用のペンチ縁面を有し、枢接盤（２４）面上に、複数の異なる線径の挿入孔（２２）を有し、先端部（２０）の正面一側は、絶縁端子が、それぞれ、異なる線径と穿置され、使用者が挟置時の操作検視を便利にするため、先端部（２０）正面一側は、相対する線径のペンチ口外側位置に、表示用の標点（２３）を設置して、端子、線体被覆面と相同の色を塗布し、操作時の簡易標示補助を提供する。作業時、簡易の校正で、挿入ミスが生成せず、この補助装置は公知の設計において、通常、直接、凹点を形成し、塗装成型し、穿孔点定型時の動力操作の制限下では、往々にして、極細径の凹点を色標とするだけで、点径が極細ではっきりしないばかりか、摩擦を受けて脱落しやすく、実際の標識使用の目的を失ってしまう。また、単辺標示設計は、異なる方向での持用時に、標示の効用を失ってしまう。更に、現有のターミナルペンチの使用は、ペンチ中段枢軸（２１）が枢接盤（２４）を枢接し、端子が接線を挟置する安定と平坦のために、通常、先端部（２０）と枢接盤（２４）の連接箇所に、凹落する階層面（２５）を形成し、凹落する深さは、丁度、両盤面畳合後のペンチと平坦で、凹落階級面の設計により、本体（２６）板面両側を横貫し、本体（２６）中段が転接により応力集中し、ペンチが挟圧受力時、受力が階級端面上に集中して、分布が不均一になり、先端部（２０）外部が受けるトルクが過大で、板体の剛性が不足して、外端縁が偏転する状況が生じ、端子挟線時、挟持する端片は、確実な定位ができなくなって、連接が不確実になる。この不良状況は、偏斜量が外側端に向かうほど更に大きくなる。
【考案の開示】
【考案が解決しようとする課題】
【０００３】
本考案の目的は、先端部の正、反板面上に、異なる色で標記することにより、ペンチの任意の挟圧操作識別使用が便利で、枢接盤縁の弧形階層面の製作により、先端部背部の受力支承面を適当に延長して、ペンチ口の剛性支承補助を達成し、ペンチ口部の構造剛性は、構造重量、及び、生産コストを増加しない下、ペンチの安全使用と、明確な標示効果を達成するターミナルペンチの標記改良構造を提供することにある。
【課題を解決するための手段】
【０００４】
本考案のターミナルペンチの標記改良構造は、ターミナルペンチ本体の先端部一側の正面、及び、底面に、それぞれ、挟圧線体、端子と相同の色標示の線環、及び、標点状の異なる標記を有し、左右の手で握持操作する時、色の標記により、簡単な識別で、端子、線体の挿挟定位ができ、絶縁端子の結合操作が便利で、また、ペンチ本体は、枢接盤面周縁に曲弧の階層面を有し、弧縁が、効果的に、構造外縁の剛性を強化する。
【考案の効果】
【０００５】
本考案のターミナルペンチの標記改良構造により、構造重量、及び、生産コストを増加しない下、ペンチの安全使用と、明確な標示効果を達成する。
【考案を実施するための最良の形態】
【０００６】
本考案のターミナルペンチの標記改良構造において、その構造設計は、現有の同類のペンチ構造とほぼ同じであるが、ペンチの使用標記改良と構造剛性の強化設計を提供し、その設計は、図１〜図３で示されるように、ペンチは、枢接された板形状の本体（１０）の最外段の先端部（１１）上に、凹凸のあるペンチ口縁を有し、端子と線体の挟固操作を簡単にする。先端部（１１）一側のペンチ口縁位置は、それぞれ、複数の凹落した線環（１２）標記を有し、凹落した環面は、端子、線体の被覆面と相同の色を塗装し、操作者が容易に識別できるようになっている。特に、先端部（１１）の正反両面相対位置に、異なる様式の標記を分設し、異なる標記設計により、線環（１２）状の標記が、大きく、見やすい色の表示になって、使用者が識別しやすい。底面は、粗い標点（１３）式の表示により、使用者が任意に握持して操作でき、即ち、ペンチは正反面間で、左右のどちらの手でも、挟圧操作ができ、使用が便利である。また、ペンチの楕円状の枢接盤（１４）は、中央枢軸（１５）により盤面を枢接し、盤面上に挿入孔（１６）を有し、切断使用が便利である。先端部（１１）と枢接端（１４）の連接箇所は、畳合後のペンチ口縁面の平坦化要求のため、枢接盤（１４）上下に階層面（１７）を有し、頂縁線は、枢接盤面と近似する弧形面をなし、効果的に、先端部（１１）の背部を適当に枢接する盤縁に延伸する。階層面（１７）の深さは、ペンチ口線の中央から、曲弧階縁に沿って外に延伸して、浅くなる折痕設計で、本体（１０）が先端部（１１）衝落底縁の外辺側に、自然な弧形表面をなし、挟圧時、外側辺は、折痕で、応力集中を形成せず、特に、柄体の延伸部分は外に拡張する設計で、グリップ（１８）を握持する時、先端部（１１）が端子置入と線端挟着する時、先端部（１１）が衝落折痕、及び、グリップの補強を受けて、構造剛性が大幅に上昇し、端子挟圧使用時、識別に便利なだけでなく、ペンチ口の偏斜変形の生成を防止して、安全で、便利な使用性が達成される。
【図面の簡単な説明】
【０００７】
【図１】本考案のターミナルペンチの立体外観図である。
【図２】本考案のターミナルペンチの先端部の外観図である。
【図３】本考案のターミナルペンチのもう一面の外観図である。
【図４】公知のターミナルペンチの立体外観図である。
【符号の説明】
【０００８】
本体（１０）
先端部（１１）
線環（１２）
標点（１３）
枢接盤（１４）
中央枢軸（１５）
挿入孔（１６）
階層面（１７）
グリップ（１８）
先端部（２０）
枢軸（２１）
挿入孔（２２）
標点（２３）
枢接盤（２４）
階層面（２５）
本体（２６）
【図１】
0003147180.tif 000003
【図２】
0003147180.tif 000004
【図３】
0003147180.tif 000005
【図４】
0003147180.tif 000006